(57)【要約】    【課題】自動的に接続データが実際の感知器接続状況に応じて簡単且つ正確に書替え可能とする。    【解決手段】受信機１０に、感知器に固有で且つ検索コマンドに対し応答送信可能な種別を含む感知器接続データを火災感知器毎に格納するデータ管理部９６と、中継器に種別要求コマンドを送信し、中継器から完了応答が受信された際に種別の転送を要求して転送された種別をＲＡＭ１１６の接続データテーブル１２０に書き込んで更新するデータ更新部９８とを設ける。中継器は、受信機１０からの種別要求コマンドを受信した際に、感知器回線に種別検索コマンドを送信して各火災感知器の応答上り信号から種別を取得して保持し、受信機の転送要求を受信した際に、保持している種別を受信機１０に転送して更新させる。    【選択図】      図２
2007219870.tif 000002
【特許請求の範囲】
【請求項１】
受信機から引出された伝送路に中継器を接続すると共に、前記中継器から引出された感知器回線に複数の火災感知器を接続し、前記中継器からコマンドを含む下り信号を送信し、前記火災感知器からコマンド応答の上り信号を送信する火災報知設備に於いて、
前記受信機に、
感知器に固有で且つコマンドに対し応答送信可能な属性データを含む感知器接続データを前記火災感知器毎に格納するデータ記憶部と、
前記中継器に前記属性データの要求コマンドを送信し、前記中継器から完了応答が受信された際に前記属性データの転送を要求して転送された属性データを前記接続データ記憶部の感知器接続データに書き込んで更新するデータ更新部と、
を設け、
前記中継器に、
前記受信機からの属性データの要求コマンドを受信した際に、前記感知器回線に属性データ検索コマンドを送信して前記各火災感知器の応答上り信号から属性データを取得して保持し、前記属性データの検索を完了した時点で前記受信機に完了応答を送信するデータ検索部と、
前記受信機から前記属性データの転送要求を受信した際に、保持している属性データを受信機に転送するデータ転送部と、
を備えたことを特徴とする火災報知設備。
【請求項２】
受信機から引出された伝送路に中継器を接続すると共に、前記中継器から引出された感知器回線に複数の火災感知器を接続し、前記中継器から電圧を変化させることでコマンドと応答用パルスを含む下り信号を送信し、前記火災感知器から前記応答用パルスの空きタイミングで電流を変化させることで上り信号を送信する火災報知設備に於いて、
前記受信機に、
種別を含む感知器接続データを前記火災感知器毎に格納するデータ記憶部と、
前記中継器に前記種別の要求コマンドを送信し、前記中継器から完了応答が受信された際に前記種別の転送を要求して転送された種別を前記データ記憶部の感知器接続データに書き込んで更新するデータ更新部と、
を設け、
前記中継器に、
前記受信機からの種別の要求コマンドを受信した際に、前記感知器回線に種別検索コマンドを送信して前記各火災感知器の応答上り信号から種別を取得して保持し、前記種別の検索を完了した時点で前記受信機に完了応答を送信するデータ検索部と、
前記受信機から前記種別の転送要求を受信した際に、保持している種別を受信機に転送するデータ転送部と、
を備えたことを特徴とする火災報知設備。
【請求項３】
請求項２記載の火災報知設備に於いて、前記受信機のデータ更新部は、前記中継器から火災感知器のパワーオン要求信号を受信した際に、前記種別の取得を前記中継器に要求することを特徴とする火災報知設備。
【請求項４】
請求項２記載の火災報知設備に於いて、前記受信機のデータ更新部は、保守モードを選択操作した状態でイニシャルセット操作が判別された際に、前記種別の取得を前記中継器に要求することを特徴とする火災報知設備。
【請求項５】
請求項２記載の火災報知設備に於いて、前記受信機のデータ更新部は、選択操作に基づき特定の感知器回線又は特定の火災感知器に対する種別の取得を前記中継器に要求することを特徴とする火災報知設備。
【請求項６】
請求項２記載の火災報知設備に於いて、前記受信機のデータ更新部は、所定期間ごとに実行される定期自己診断処理の際に、前記種別の取得を前記中継器に要求することを特徴とする火災報知設備。
【請求項７】
請求項２記載の火災報知設備に於いて、
前記受信機のデータ記憶部は、
種別を空きデータとした感知器接続データを記憶した不揮発メモリと、
パワーオンスタート時に前記不揮発メモリから前記感知器接続データを読み出して記憶する揮発メモリと、
を備え、
前記受信機のデータ更新部は、前記中継器から転送された種別を前記揮発メモリに展開した感知器接続データに書き込んで初期設定又は更新することを特徴とする火災報知設備。
【請求項８】
請求項２記載の火災報知設備に於いて、前記種別検索コマンドは、熱感知器から種別応答の上り信号を送信させる熱感知器用の種別検索コマンドと、煙感知器から種別応答の上り信号を送信させる煙感知器用の種別検索コマンドであることを特徴とする火災報知設備。
【発明の詳細な説明】
【技術分野】
【０００１】
本発明は、受信機から引出された伝送路に中継器を接続すると共に、中継器から引出された感知器回線に複数の火災感知器を接続し、中継器から電圧を変化させることでコマンドを含む下り信号を送信し、火災感知器から電流を変化させることで応答を含む上り信号を送信する火災報知設備に関する。
【背景技術】
【０００２】
従来、Ｐ型アドレッサブル火災感知器を中継器からの感知器回線に接続した火災報知設備にあっては、パルスカウント伝送方式ににより火災感知器に対するコマンド送信と感知器応答を処理している。
【０００３】
パルスカウント伝送方式にあっては、中継器が受信機からの伝送同期コマンドに基づいて中継器から火災感知器にコマンドと応答用パルスを含む下り信号を電圧変化で送信し、火災感知器から中継器にコマンド応答の上り信号を、応答用パルスの空きタイミングの電流変化で送信して火災を監視するようにしている。
【０００４】
火災感知器のアドレスは、応答用パルスのパルス数で決まる最大アドレスまで設定することができ、応答用パルスをカウントして自己アドレスに一致するタイミングで、その時のコマンドに対応した応答信号を中継器に上り信号として送信する。中継器は応答用パルスを計数しており、火災感知器からコマンド応答の上り信号を受信した時のカウンタ値から感知器アドレスを認識している。
【０００５】
このよう火災報知設備にあっては、受信機で火災監視制御を行うため、火災感知器の接続データが必要であり、アドレス、煙か熱かの種別、ブロック番号、連絡先、連動先、メッセージなどの感知器接続データを製造段階で火災感知器毎に準備し、ＥＥＰＲＯＭ等の不揮発メモリに格納して受信機にセットし、受信機の電源投入に伴う立上げ時に、不揮発メモリからＲＡＭ等の揮発メモリに読出して展開し、火災監視に必要な感知器接続データを得るようにしている。
【特許文献１】特開２００５−００４３５２号公報
【発明の開示】
【発明が解決しようとする課題】
【０００６】
ところで、このような火災報知設備にあっては、火災報知設備を設置した後の運用中に、設置している建物や施設のテナントが変わってフロアの間仕切り変更などで行われる場合、これに伴って火災感知器を例えばそれまでの熱感知器から煙感知器に変更したり、新たに火災感知器を追加したり、撤去する場合がある。
【０００７】
しかしながら、火災感知器の変更、追加、撤去に対しては、受信機に登録している感知器接続データを変更する必要があり、受信機にセットしているＥＥＰＲＯＭを外して工場などに持ち帰り、書替用のアプリケーションを使用して感知器接続データを変更しているが、手間と時間がかかる問題がある。
【０００８】
この問題を解消するため、受信機自体で感知器接続データを変更できるようにしたものもあるが（特許文献１）、感知器接続データの変更はＥＥＰＲＯＭ等の不揮発メモリに格納している接続データの書替えを必要とするため、受信機を通常の監視モードから保守点検のためのメンテナンスモードに変更して行う必要があり、このため変更作業は夜間などの時間帯の作業となり、作業負担が大きいという問題がある。
【０００９】
また接続データを書替え可能とするため、ＥＥＰＲＯＭの不揮発メモリの書替え機能や接続データ変更のアプリケーションを受信機ＭＰＵに持たせなければならず、受信機の機能構成が複雑化し、コストアップになる問題がある。
【００１０】
更に、感知器接続データの変更は画面操作による人為的な操作となるため、感知器接続データを誤って変更、追加又は削除する可能性があり、変更作業は慎重に進めなければならず、この点でも作業負担が大きいという問題がある。
【００１１】
本発明は、火災感知器の変更、追加、撤去に伴い感知器接続データの中の変更を必要とするデータを特定の属性データ、例えば種別に絞り、受信機から中継器に対する取得要求により自動的に火災感知器の種別を取得し、実際の感知器接続状況に応じて簡単且つ正確に変更できる火災報知設備を提供することを目的とする。
【課題を解決するための手段】
【００１２】
本発明は、受信機から引出された伝送路に中継器を接続すると共に、中継器から引出された感知器回線に複数の火災感知器を接続し、中継器からコマンドを含む下り信号を送信し、火災感知器からコマンド応答の上り信号を送信する火災報知設備を対象とする。
【００１３】
このような火災報知設備につき本発明は、
受信機に、
感知器に固有で且つコマンドに対し応答送信可能な属性データを含む感知器接続データを火災感知器毎に格納するデータ記憶部と、
中継器に前記属性データの要求コマンドを送信し、中継器から完了応答が受信された際に属性データの転送を要求して転送された属性データを前記接続データ記憶部の感知器接続データに書き込んで更新するデータ更新部と、
を設け、
中継器に、
受信機からの属性データの要求コマンドを受信した際に、感知器回線に属性データ検索コマンドを送信して各火災感知器の応答上り信号から属性データを取得して保持し、属性データの検索を完了した時点で受信機に完了応答を送信するデータ検索部と、
受信機から属性データの転送要求を受信した際に、保持している属性データを受信機に転送するデータ転送部と、
を備えたことを特徴とする。
【００１４】
本発明の具体的な形態にあっては、感知器に固有で且つ検索コマンドに対し応答送信可能な属性データは、例えば火災感知器が煙感知器か熱感知器かを示す種別であり、属性データを種別とした場合、本発明の火災報知設備にあっては、
受信機に、
種別を含む感知器接続データを火災感知器毎に格納するデータ記憶部と、
中継器に種別の要求コマンドを送信し、中継器から完了応答が受信された際に種別の転送を要求して転送された種別をデータ記憶部の感知器接続データに書き込んで更新するデータ更新部と、
を設け、
中継器に、
受信機からの種別の要求コマンドを受信した際に、感知器回線に種別検索コマンドを送信して各火災感知器の応答上り信号から種別を取得して保持し、種別の検索を完了した時点で受信機に完了応答を送信するデータ検索部と、
受信機から種別の転送要求を受信した際に、保持している種別を受信機に転送するデータ転送部と、
を備えたことを特徴とする。
【００１５】
ここで、受信機のデータ更新部は、中継器から火災感知器のパワーオン要求信号を受信した際に、種別の取得を中継器に要求する。
【００１６】
また、受信機のデータ更新部は、保守モードを選択操作した状態でイニシャルセット操作が判別された際に、種別の取得を中継器に要求する。例えば受信機のデータ更新部は、選択操作に基づき特定の感知器回線又は特定の火災感知器に対する種別の取得を中継器に要求する。
【００１７】
更に、受信機のデータ更新部は、所定期間ごとに実行される定期自己診断処理の際に、種別の取得を前記中継器に要求する。
【００１８】
受信機のデータ記憶部は、
種別を空きデータとした感知器接続データを記憶した不揮発メモリと、
パワーオンスタート時に不揮発メモリから感知器接続データを読み出して記憶する揮発メモリと、
を備え、
受信機のデータ更新部は、中継器から転送された種別を揮発メモリに展開した感知器接続データに書き込んで初期設定又は更新する。
【００１９】
中継器から火災感知器に送信する種別検索コマンドは、熱感知器から種別応答の上り信号を送信させる熱感知器用の種別検索コマンドと、煙感知器から種別応答の上り信号を送信させる煙感知器用の種別検索コマンドである。
【発明の効果】
【００２０】
本発明によれば、テナントの変更などで、火災感知器の種別変更が発生しても、変更後の火災感知器からのパワーオン要求信号の受信、画面操作によるイニシャルセット操作、或いは定期自己診断を契機として、火災感知器に対する種別検索の実行により火災感知器のもつ種別を取得して感知器接続データの書替えによる自動更新が行われ、感知器接続データの変更に必要な手間と時間を低減し、変更に伴う費用を低減できる。
【００２１】
またパルスカウント伝送方式の場合には、感知器回線に接続できる火災感知器の最大数（最大アドレス）がコマンドと共に送信する応答用パルスのパルス数により例えば３８アドレスと決まっており、このため、感知器種別以外のアドレス、ブロック番号、連絡先、連動先、メッセージなどのデータは固定的なデェフォルトデータとするできるため変更する必要がなく、火災感知器に固有で且つ検索コマンド等で読み出すことのできる種別などの属性データに書替え対象を絞り込むことで、感知器接続データの自動書替えを簡単且つ正確に行うことができる。
【００２２】
また例えば１週間に１回の周期で実行される定期自己診断に感知器種別を取得して感知器接続データを更新する処理を連携させておくことで、火災感知器を変更した後に特別な操作や処理を行わずにそのまま放置しておいても、いずれ実行される定期自己診断の際に、変更後の種別への更新が自動的に行われることとなり、火災感知器の変更に伴う感知器接続データの人為的な書替え作業を不要にすることができる。
【００２３】
更に、火災感知器の変更のみならず、火災感知器を追加した場合や撤去した場合についても、追加した際の火災感知器からのパワーオン要求信号の受信、画面操作によるイニシャルセット操作、或いは定期自己診断を契機として、自動的に受信機の感知器接続データを変更することができる。
【発明を実施するための最良の形態】
【００２４】
図１は本実施形態による火災報知設備の構成を示したブロック図である。図１において、受信機１０から引き出された伝送線１８及び中継器制御線１９に対し複数の中継器１２が接続されており、中継器１２からは感知器回線２０が引き出され、それぞれ複数の火災感知器１４−１〜１４−ｎを接続している。
【００２５】
図２は図１における受信機１０の実施形態を示したブロック図である。図２において、受信機１０には受信機ＣＰＵ１００が設けられ、受信機ＣＰＵ１００にはプログラム制御により実行される機能として、火災監視部９４、データ管理部９６及びデータ更新部９８の機能が設けられている。
【００２６】
また受信機ＣＰＵ１００に対しては、伝送回路１０２、電源部１０４、表示部１０６、操作部１０８、音響警報部１１０、移報部１１２、ＥＥＰＲＯＭ１１４及びＲＡＭ１１６を設けている。
【００２７】
更に受信機ＣＰＵ１００にはプログラム制御により実現される機能として、火災監視部９４、データ管理部９６及びデータ更新部９８を設けている。火災監視部９４は、伝送回路１０２に対する指示で伝送線１８により図１の中継器に対し所定間隔例えば９秒間隔で伝送同期コマンドを送っており、この伝送同期コマンドの間に所定回数、ポーリングコマンドを送っている。
【００２８】
火災監視部９４が中継器からの火災割込信号を受信すると、表示部１０６を使用して火災警報表示を行い、音響警報部１１０から音響警報を出すと共に、必要に応じて移報部１１２から移報信号を出力して、連動機器としての防排煙扉や警報ベルなどを連動制御するようにしている。操作部１０８としては、表示部１０６に使用しているタッチパネル付きの操作画面を備え、それ以外に適宜の火災監視に必要なスイッチが設けられている。
【００２９】
データ管理部９６は中継器を介して感知器回線に接続している火災感知器の感知器接続データを管理している。本実施形態にあっては、不揮発メモリであるＥＥＰＲＯＭ１１４に火災感知器のデェフォルト接続データテーブル１１８を格納しており、火災受信機１０の電源投入により設備を立ち上げた際に、ＥＥＰＲＯＭ１１４のデェフォルト接続データテーブル１１８が受信機ＣＰＵ１００により読み出され、ＲＡＭ１１６に接続データテーブル１２０として展開され、火災監視部９４による火災監視に必要なデータとして使用される。
【００３０】
図３は受信機１０のＥＥＰＲＯＭ１１４に格納されたデェフォルト接続データテーブル１１８の説明図であり、図１の中継器から引き出された感知器回線に接続可能な接続数である３８台の火災感知器の接続データを例にとっている。
【００３１】
図３のデェフォルト接続データテーブル１１８にあっては、中継器アドレス、種別、回線番号、ブロック番号、地区名称、連動先データ、感知器アドレス、種別を登録しており、中継器からは４回線が引き出され、その内の２回線を示しており、各回線には３８台分の火災感知器に分けて感知器アドレス１〜３８が格納され、また種別の格納領域が設けられている。
【００３２】
デェフォルト接続データテーブル１１８は受信機１０の工場段階で予め作成され、ＥＥＰＲＯＭ１１４に書き込まれ、受信機１０にセットされている。
【００３３】
ここでデェフォルト接続データテーブル１１８の格納データのうち、種別については全て空きデータとなっている。このため、図２において受信機１０が電源投入により立ち上がってＲＡＭ１１６に接続データテーブル１２０を展開した初期段階では、図２と同じ種別が空きデータの状態にある。
【００３４】
種別の空きデータは電源投入後の初期化処理に伴う種別更新処理を通じて自動的に取得され、運用開始時には、図４の接続データテーブル１２０に示すように、種別の領域に実際に設置している火災感知器から取得された種別として「煙」または「熱」が格納される。なおアドレス３６における種別の「空き」については、このアドレス位置に火災感知器が接続されていないことを意味する。
【００３５】
再び図２を参照するに、受信機ＣＰＵ１００に設けたデータ更新部９８は、所定の種別更新タイミングを契機として中継器に種別要求コマンドを送信し、中継器からコマンド完了応答が受信された際に、種別の転送を要求して、転送された種別をＲＡＭ１１６に展開している接続データテーブル１２０に書き込んで更新する。
【００３６】
このデータ更新部９８による接続データテーブル１２０の更新は、受信機１０の電源を投入して立ち上げた際と、運用中に中継器からの感知器回線に接続している火災感知器を変更、追加、撤去などを行った場合に実行される。
【００３７】
本実施形態にあっては、データ更新部９８が接続データテーブル１２０の種別を更新する契機は次のいずれかとなる。
【００３８】
（１）火災感知器を変更または追加することでパワーオン要求信号を受信した場合；      
（２）操作部１０８による画面操作でイニシャルセットが指示された場合；
（３）火災監視部９４により１週間に１回行われる定期点検診断が開始された場合；    
もちろん、前記（１）〜（３）以外の適宜のタイミングでデータ更新部９８による種別の更新処理を行うことが可能である。
【００３９】
図５は本実施形態における中継器の実施形態を示したブロック図である。図５において中継器１２は、伝送回路２２、中継器ＣＰＵ２４、電源部２６、電流検出回路２８、送信回路３０、応答信号検出回路３２を備えている。中継器ＣＰＵ２４にはプログラム制御により実現される機能として、中継処理部３４、データ検索部３５及びデータ転送部３６を設けている。
【００４０】
中継処理部３４は受信機１０から伝送同期コマンドを受信するごとに、断線監視コマンドと正常監視コマンドを、送信回路３０を駆動して感知器回線２０に送出する。断線監視コマンドの下り信号に対しては、終端設定された火災感知器１４−ｎがコマンド応答の上り信号を送信する。また正常監視コマンドの下り信号に対しては、全ての火災感知器１４−１〜１４−ｎがコマンド応答の上り信号を送信する。
【００４１】
中継器１２から感知器回線２０に送信される下り信号は、感知器回線の電圧を変化させるいわゆる電圧モードの信号である。これに対し火災感知器１４−１〜１４−ｎから送信される上り信号は、感知器回線２０に流れる電流を変化させるいわゆる電流モードの信号である。
【００４２】
中継処理部３４は、火災感知器１４−１〜１４−ｎのいずれかで火災を検出すると、感知器回線２０に対し火災割込信号が送信されることから、この火災割込信号を受信して感知器アドレス検索コマンドを送信し、発報した火災感知器の感知器アドレスを取得する。
【００４３】
火災感知器による発報時の火災割込信号の送信は、例えば一定の時間間隔で３回連続して行われ、中継処理部３４にあっては、２回の火災割込信号の受信による感知器アドレス検索コマンドの検索結果が２回一致した感知器アドレスが得られたら火災発報を特定し、そして３回目の火災割込信号の受信で火災を確定し、受信機１０に対し火災検出を火災割込信号により通知し、火災警報を行わせる。
【００４４】
中継器ＣＰＵ２４に設けたデータ検索部３５は、受信機１０から種別要求コマンドを受信した際に、感知器回線２０に種別検索コマンドを送信し、各火災感知器の応答上り信号から種別を取得して保持し、種別検索を完了した時点で受信機１０に対し完了応答を送信する。
【００４５】
データ転送部３６は、データ検索部３５からの完了応答に対し、受信機１０から種別の転送要求、具体的には２次側要求コマンドを受信した際に、メモリに保持している種別を受信機１０に転送して、接続データテーブルの更新を行わせる。
【００４６】
図６は図５の中継器１２で使用される一括コマンド一覧を示している。この一括コマンド一覧にあっては、受信機１０からの同期伝送コマンドに伴って交互に送信されるコマンドコード０４の断線監視コマンド、コマンドコード０８の正常監視コマンドがあり、断線監視コマンドは終端感知器の呼出しであり、応答端末は終端感知器となる。また正常監視コマンドは全ての火災感知器の呼出であり、応答端末としては感知器回線に接続している全ての正常な火災感知器がコマンド応答を出すことになる。
【００４７】
また図５のデータ検索部３５で使用する検索コマンドとして、コマンドコード０５と０６の種別要求コマンドが設けられている。コマンドコード０５の種別要求コマンドは煙感知器の呼出しに使用され、応答端末は煙感知器となる。またコマンドコード０６の種別要求コマンドは熱感知器の呼出しに使用され、応答端末は熱感知器のみとなる。
【００４８】
図７は本実施形態における火災感知器１４の実施形態を示したブロック図である。図７において、火災感知器１４は、無極性ノイズ吸収回路３７、９ボルト出力の定電圧回路３８、３ボルト出力の定電圧回路４０、リセット監視回路４２、感知器ＣＰＵ４４、揮発メモリであるＥＥＰＲＯＭ４６、パルス駆動回路４８、サーミスタなどの温度検出素子５０、温度検出回路５２、伝送信号検出回路５４及び応答信号送出回路５６を備えている。
【００４９】
感知器ＣＰＵ４４に設けたＥＥＰＲＯＭ４６には、この火災感知器１４が熱感知器であることを示す種別データ４７が記憶され、更に感知器アドレスが記憶されており、感知器回線２０の電源投入に伴うリセット監視回路４２による感知器ＣＰＵのリセットスタートによる初期化処理で、ＥＥＰＲＯＭ４６より感知器アドレスを含む各種設定情報を内部のＲＡＭに展開し、感知器制御を行う。
【００５０】
感知器ＣＰＵ４４にはプログラム制御により実現される機能として、感知器応答部６４とパワーオン要求部６５が設けられている。感知器応答部６４は中継器１２からのコマンドと応答用パルスからなる下り信号を受信し、応答用パルスをカウントした値が自己アドレスに一致した際の応答用パルスの空きタイミングで、このとき受信しているコマンドに対応した応答信号としての上り信号を送信する。
【００５１】
例えば中継器１２からの正常監視コマンドを含む下り信号は、伝送信号検出回路５４で検出されて感知器ＣＰＵ４４に入力され、コマンド内容を解読した後、火災感知器１４に異常がなければ、感知器応答部６４が応答用パルスのカウント値が自己アドレスに一致した直後の空きタイミングで応答信号を応答信号送出回路５６に出力し、感知器回線の電流変化によりコマンド応答の上り信号を送信する。火災感知器１４に異常がある場合には、コマンド応答の上り信号は送信されない。
【００５２】
パワーオン要求部６５は、感知器回線２０から電源供給を受けて起動した後に、中継器１２から送信される下り信号の最初の正常監視コマンド又は断線監視コマンドを受信した際に、パワーオン要求信号を応答信号送出回路５６の駆動で中継器に送信する。この火災感知器１４の電源投入に伴うコマンド応答信号としてのパワーオン要求信号は、中継器１２で受信された後、受信機１０に転送され、パワーオン要求を判別した受信機１０は種別更新処理を起動することになる。
【００５３】
ここで火災感知器１４のパルス駆動回路４８は、感知器ＣＰＵ４４からの一定時間間隔の駆動パルスを受けて温度検出素子５０であるサーミスタを駆動しており、検出タイミングごとに温度検出回路５２で温度を検出して感知器ＣＰＵ４４に読み込み、予め設定した火災温度を超えたことで火災発報を検出し、伝送信号検出回路５４を使用して火災割込信号を感知器回線２０に送信する。
【００５４】
本実施形態にあって、感知器ＣＰＵ４４は火災発報を検出すると、中継器１２からの正常監視コマンドの送信間隔内で連続して例えば３回、火災割込信号を送信する。正常監視コマンドが例えば９秒間隔で送信されているとすると、火災発報時に火災検出器１４は３秒間隔で連続して火災割込信号を送信する。
【００５５】
このような火災感知器１４からの火災割込信号につき、１回目と２回目については中継器１２は感知器番号の検索コマンドを発行して感知器番号を取得し、３回目の火災割込信号の受信で感知器番号の検索結果が２回一致したことを条件に火災を確定して、受信機１０に火災発生を通報する。
【００５６】
中継器１２で３回の火災割込信号について火災が確定されると、中継器１２は発報表示灯制御コマンドを送信し、これを受けて火災感知器１４は作動表示灯（図示せず）を点灯する。
【００５７】
中継器１２にあっては、第１報目で火災を確定すると、その後、一定周期で連続して感知器アドレス検索コマンドを発行しており、したがって２報目の火災感知器が発報すると、感知器アドレス検索コマンドに対し感知器アドレス応答信号を送信することで、中継器１２側において２報目、更に３報目といった同一感知器回線２０における火災発報を認識することができる。
【００５８】
なお図７の火災感知器１４にあっては、サーミスタなどの温度検出素子５０による熱感知器を例に取るものであったが、発光素子と受光素子を備えた散乱光式煙検出部を備えた火災感知器であってもよいことはもちろんである。
【００５９】
図８は本実施形態で受信機１０から送信する伝送同期コマンドとこれに同期して中継器から火災感知器に送信する断線監視コマンド及び正常監視コマンドの送信タイミングのタイムチャートである。
【００６０】
図８（Ａ）の伝送同期コマンド６６は、受信機１０から中継器１２に対し一定周期で送信され、伝送同期コマンド６６に基づき中継器１２は、図８（Ｂ）のように断線監視コマンド６８と正常監視コマンド７０を交互に送信する。
【００６１】
図９は本実施形態の中継器１２と火災感知器１４の間のコマンド送信の下り信号とコマンド応答の上り信号のタイムチャートである。図９（Ａ）はコマンド送信の下り信号であり、感知器回線の定常電圧を例えば１９ボルトとすると、１９ボルトから３１ボルトに変化させている。
【００６２】
電圧変化で行うコマンド送信用の下り信号は、スタートパルス７１、基準パルス７２、コマンド７４，７６及び応答用パルス７８で構成される。本実施形態において、感知器回線２０に接続可能な火災感知器の最大数は例えば３８台であり、このためコマンド７４に続いて３８個の応答用パルス７８を送信している。またコマンド７４，７６は同じコマンドであり、２連送することで信頼性を上げている。
【００６３】
火災感知器１４−１〜１４−３８にあっては、下り信号のコマンド７６に続く応答用パルス７８をカウントし、カウント値が予め設定した自己アドレスに一致すると、その直後の応答用パルス７８の空きタイミングで電流変化によるコマンド応答の上り信号を送信する。図９（Ｂ）は感知器回線に接続している３８台の火災感知器が一括コマンドである正常監視コマンドを受信してコマンド応答の上り信号を送出した場合である。
【００６４】
コマンド応答の上り信号は、図９（Ｃ）のアドレス１〜３８の火災感知器１４−１〜１４−３８に示すように、応答用パルス７８をカウントして各アドレスに一致するタイミングで、それぞれの火災感知器がコマンド応答上り信号８２−１〜８２−３８を送信しており、その合成信号が図９（Ｂ）の上り信号として感知器回線に送信されることになる。
【００６５】
図１０は中継器と火災感知器の間の種別検索コマンドの下り信号とコマンド応答の上り信号のタイムチャートである。図１０（Ａ）の下り信号のコマンド７４，７６としては、種別検索の際には、図６の一括コマンド一覧のコマンドコード「０５」の煙感知器を対象とした種別要求コマンドと、コマンドコード「０６」の熱感知器を対象とした種別要求コマンドの送信が行われる。
【００６６】
ここでコマンド７４，７６として煙感知器用の種別検索コマンドを送信したとすると、この例ではアドレス１，２及び３７の火災感知器１４−１，１４−２，１４−３７が煙感知器であり、それ以外は熱感知器であったとすると、応答用パルス７８の１番目、２番目及び３７番目の空きパルスのタイミングで火災感知器１４−１，１４−２，１４−３７のアドレス１，２，３７に示すように上り信号が送信され、この合成信号が図１０（Ｂ）の上り信号として中継器１２で受信されることになる。
【００６７】
このような煙感知器を対象とした種別検索コマンドに対するコマンド応答の上り信号につき、中継器１２にあっては、コマンド応答の上り信号を受信したタイミングにおける応答用パルス７８のカウント値から種別応答した煙感知器のアドレスを認識し、アドレス及び種別をメモリに保存する。
【００６８】
図１１は受信機１０の同期伝送コマンドに対応した中継器１２の正常監視と断線監視のタイムチャートである。図１１において、受信機１０は、ステップＳ１で同期伝送コマンドを中継器１２に送信すると、これを受けて中継器１２は、ステップＳ１０１で同期伝送コマンドが奇数タイミングであったとすると、断線監視コマンドを送信する。断線監視コマンドは火災感知器１４−１〜１４−３８で受信されるが、終端の火災感知器１４−３８のみが終端設定されていることから、ステップＳ４０１で火災感知器１４−３８が断線監視応答の上り信号を送信する。
【００６９】
この応答信号を中継器１２で受信すると、ステップＳ１０２で回線正常判定とする。もし断線監視の応答信号が得られなかった場合には、例えば連続して３回応答が得られなかった場合に、感知器回線の断線を確定して受信機１０に断線障害を通知する。
【００７０】
続いて受信機１０は、９秒後の次のステップＳ２で同期伝送コマンドを中継器１２に送信しており、この同期伝送コマンドは偶数タイミングであることから、中継器１２はステップＳ１０３で正常監視コマンドを感知器回線２０に接続する。
【００７１】
火災感知器１４−１〜１４−３８は、感知器回線２０に正常に接続され且つ障害もない場合には、ステップＳ２０１，３０１，・・・Ｓ４０２に示すように、それぞれ下り信号の自己アドレスに対応した応答パルスの空きタイミングで正常監視応答の上り信号を応答送信する。中継器１２はステップＳ１０４で全ての火災感知器１４−１〜１４−３８から上り信号を受信すると、接続感知器正常判定を行うことになる。
【００７２】
図１２及び図１３は火災感知器の変更に伴うパワーオン要求を契機に実行される種別更新処理のタイムチャートである。図１３は、火災感知器１４−２がそれまでの熱感知器から煙感知器に変更されてパワーオンスタートした状態にあり、この状態で受信機１０がステップＳ１で同期伝送コマンドを送信したとすると、このコマンドは火災感知器１４−２が変更されてから最初に受信したコマンドであることから、ステップＳ３０１でパワーオン要求信号を中継器１２に送信する。また終端設定された火災感知器１４−３８は、ステップＳ４０１で断線監視応答の送信を行う。
【００７３】
中継器１２はステップＳ１０２で回線正常を判定すると共に、火災感知器１４−２からのパワーオン要求信号を保持する。続いて受信機１０は、ステップＳ２で同期伝送コマンドの送信間隔の間にポーリングコマンドを送ってくることから、ポーリングコマンドに対し中継器１２は、ステップＳ１０３でパワーオン要求信号を受信機１０に送信する。
【００７４】
受信機１０は、ステップＳ３でパワーオン要求信号に基づき感知器の変更後の接続によるパワーオンを認識し、種別更新処理を起動する。種別更新処理は、ステップＳ４で中継器１２に対し種別要求コマンドを送信する。これに対し中継器１２は、ステップＳ１０４でコマンド受信と応答を開始する。
【００７５】
続いて受信機１０は、ステップＳ５で伝送グループ設定コマンドを送信する。この伝送グループ設定コマンドにより、中継器１２にあっては、ステップＳ１０５で感知器への伝送出力タイミングを取得する。そしてコマンド受信応答を受信機に返す。
【００７６】
続いてステップＳ６で次の同期伝送コマンドの送信を受信機１０が行い、これは中継器１２においてステップＳ１０６の正常監視コマンドの送信となり、火災感知器１４−１〜１４−３８の全てが、ステップＳ２０１，Ｓ３０１，・・・Ｓ４０２のように正常監視応答送信を行い、ステップＳ１０７で接続感知器正常判定が行われる。
【００７７】
続いて図１３のステップＳ７で受信機１０が同期伝送コマンドを送信すると、中継器１２は、ステップＳ１０８で煙感知器を対象とした種別要求コマンドを送信する。この種別要求コマンドに対し、煙感知器である火災感知器１４−１，１４−２が、ステップＳ２０２，Ｓ３０３のように種別応答の上り信号を送信する。
【００７８】
これを受けて中継器１２は、ステップＳ１０４で、種別が煙であることを応答した感知器のアドレスをメモリに保存する。続いてステップＳ１１０で熱感知器を対象とした種別要求コマンドを送信すると、例えば熱感知器である火災感知器１４−３８がステップＳ４０３で種別応答の上り信号を送信し、中継器１２はステップＳ１１１で、種別が熱であることを応答した感知器のアドレスをメモリに保存する。もちろん他の火災感知器１４−３〜１４−３７についても、煙感知器用または熱感知器用の種別検索コマンドに対しそれぞれ応答することになる。
【００７９】
続いて受信機１０はステップＳ８で同期伝送コマンドを送信し、これは中継器１２のステップＳ１１２で断線監視コマンドの送信となり、ステップＳ１１３で感知器正常判定を行う。続いて受信機１０は、同期伝送コマンド送信周期の間にポーリングコマンド送信をステップＳ９で行い、ポーリングコマンド送信に対し中継器１２はステップＳ１１４で種別要求コマンドの完了通知を行う。
【００８０】
これを受けて受信機１０はステップＳ１０で２次側要求コマンドを送信し、中継器１２は、ステップＳ１１５でメモリに保存している感知器アドレスと種別を応答送信する。この中継器１２からの種別とアドレスの応答送信を受けて、受信機１０はステップＳ１１で図２のＲＡＭ１１６に展開している接続データテーブル１２０の種別を書き替えて更新する。
【００８１】
図１４は図１２及び図１３の種別更新処理で書き替えられた接続データテーブル１２０の例である。ここで図４のように、種別更新前の接続データテーブル１２０にあっては、矢印Ａで示すアドレス２の火災感知器は種別が「熱」であったものが、火災感知器を熱感知器から煙感知器に変更した後の種別更新処理に伴い、図１４の矢印Ａのアドレス２の火災感知器の種別のように「煙」に書き替えられる。
【００８２】
また図１４の種別更新前の接続データテーブル１２０の矢印Ｂで示すアドレス３６の火災感知器にあっては、種別が「空き」となっており、火災感知器を接続していない空き状態にあることを示しているが、アドレス３６に新たに熱感知器を接続したとすると、種別更新処理による更新結果として矢印Ｂのアドレス３６の火災感知器の種別に、新たに「熱」の種別の書込みが行われる。
【００８３】
更に火災感知器を撤去したような場合にあっては、種別更新処理により種別情報が得られないことから、それまで種別領域に格納されていた「煙」または「熱」の種別がクリアされて「空き」に更新されることになる。
【００８４】
図１５は画面操作によるイニシャルセットを契機に実行される種別更新処理のタイムチャートである。図１５において、火災感知器１４−２を熱感知器から煙感知器に変更した後、受信機１０においてステップＳ１のように画面操作により保守モードと回線を指定してイニシャルセットを指示すると、ステップＳ２で感知器の交換接続を認識して種別更新処理を起動する。この種別更新処理を起動した後のステップＳ３以降の処理は、図１２の受信機１０におけるステップＳ４以降の処理と同じになることから省略する。
【００８５】
図１６は種別更新処理の契機となるイニシャルセットを行う画面操作の説明図である。図１６（Ａ）はイニシャルセットを行う際の保守画面１２２であり、保守画面１２２の中にメニューとしてイニシャルセットボタン１２４が設けられていることから、これをマウスクリックする。
【００８６】
このイニシャルセットボタン１２４のマウスクリックにより図１６（Ｂ）のイニシャルセット画面１２５に切り替わり、スクロールキーによりイニシャルセットを行う回線選択領域１２６を選択する。この回線選択により図１７のイニシャルセット画面１２５に切り替わり、イニシャルセットボタン１３０を押すことで図１５のステップＳ１のイニシャルセット指示が判別され、感知器の交換接続を認識して種別更新処理が起動されることになる。
【００８７】
図１８は受信機１０における定期点検診断を契機に実行される種別更新処理のタイムチャートである。図１８において、受信機１０は例えば１週間に１回、定期点検診断処理を実行しており、ステップＳ２で定期点検診断タイミングを判定すると、ステップＳ３で種別要求コマンドを中継器１２に送信し、これは図１２のステップＳ４の処理と同じであり、それ以降は図１２のステップＳ５及び図１３のステップＳ１１に対応した種別更新処理を実行することになる。
【００８８】
この定期点検診断を契機に実行される種別更新処理にあっては、火災感知器を変更、追加あるいは撤去した際に、特別な操作や指示を受信機１０で行わずにそのまま放置していたとしても、１週間に１回行われる定期点検診断処理の際に自動的に種別更新処理が実行され、変更後の火災感知器の種別情報が取得されて自動的に種別更新が行われることになる。
【００８９】
なお本実施形態は、火災感知器自体が保有する固有のデータで且つコマンドにより火災感知器から読み出すことのできる属性データとして種別を例にとるものであったが、受信機の火災監視処理に使用する火災感知器の感知器接続データの内容として種別データと同等な属性データであれば、同様にして属性データ取得処理により火災感知器から自動的に属性データを取得して更新するようにしてもよい。
【００９０】
また本実施形態は、中継器からコマンド及び応答用パルスを下り信号として送信し、火災感知器側でコマンドを解読すると共に、応答用パルスをカウントして自己アドレスに一致した空きタイミングで上り信号を応答送信するパルスカウント伝送方式を例に取るものであったが、中継器と火災感知器の間でコマンド、アドレス、データによる電文による双方向伝送機能を備えたデータ伝送方式を採用する火災報知設備についても適用することができる。
【００９１】
また本発明は上記の実施形態に限定されず、その目的と利点を損なうことのない適宜の変形を含み、更に上記の実施形態に示した数値による限定は受けない。
【図面の簡単な説明】
【００９２】
【図１】中継器と火災感知器による本実施形態の火災報知設備の実施形態を示したブロック図
【図２】本実施形態における受信機の実施形態を示したブロック図
【図３】受信機のＥＥＰＲＯＭに格納されたデェフォルト接続テーブルの説明図
【図４】ＲＡＭに展開した後に種別が書き込まれた接続データテーブルの説明図
【図５】本実施形態における中継器の実施形態を示したブロック図
【図６】本実施形態の中継器から送信する一括コマンド一覧の説明図
【図７】本実施形態における火災感知器の実施形態を示したブロック図
【図８】受信機の伝送同期コマンドによる中継器からの断線監視コマンドと正常監視コマンドの送信タイミングのタイムチャート
【図９】中継器と火災感知器の間のコマンド送信の下り信号とコマンド応答の上り信号のタイムチャート
【図１０】中継器と火災感知器の間の種別検索コマンドの下り信号とコマンド応答の上り信号のタイムチャート
【図１１】受信機の伝送同期コマンドに対応した中継器の正常監視と断線監視のタイムチャート
【図１２】火災感知器の変更に伴うパワーオン要求を契機に実行される種別更新処理のタイムチャート
【図１３】図１２に続く種別更新処理のタイムチャート
【図１４】熱感知器から煙感知器の変更に伴って更新された接続テーブルの説明図
【図１５】画面操作によるイニシャルセットを契機に実行される種別更新処理のタイムチャート
【図１６】イニシャルセットを行う画面操作の説明図
【図１７】図１６に続く画面操作の説明図
【図１８】定期点検診断を契機に実行される種別更新処理のタイムチャート
【符号の説明】
【００９３】
１０：受信機
１２，１２−１，１２−２：中継器
１４−１〜１４−ｎ：火災感知器
１８：伝送線
１９：中継器制御線
２０，２０−１，２０−２：感知器回線
２２，１０２：伝送回路
２４：中継器ＣＰＵ
２６，１０４：電源部
２８：電流検出回路
３０：送信回路
３２：応答信号検出回路
３４：：中継処理部
３５：データ検索部
３６：データ転送部
３７：無極性・ノイズ吸収回路
３８，４０：定電圧回路
４４，４６：定電圧回路
４２：リセット監視回路
４４：感知器ＣＰＵ
４６：ＥＥＰＲＯＭ回路
４７：種別データ
４８：パルス駆動回路
５０：温度検出素子
５２：温度検出回路
５４：伝送信号検出回路
５６：応答信号送出回路
６４：感知器応答部
６５：パワーオン要求部
６６：伝送同期コマンド
６８：断線監視コマンド
７０：正常監視コマンド
７１：スタートパルス
７２：基準パルス
７４，７６：コマンド
７８：応答用パルス
８０：予備応答用パルス
８２−１〜８２−３８：コマンド応答上り信号
９４：火災監視部
９６：データ管理部
９８：データ更新部
１００：受信機ＣＰＵ
１０６：表示部
１０８：操作部
１１０：音響警報部
１１２：移報部
１１４：ＥＥＰＲＯＭ
１１６：ＲＡＭ
１１８：デェフォルト接続データテーブル
１２０：接続データテーブル
１２２：保守画面
１２４，１３０：イニシャルセットボタン
１２５：イニシャルセット画面
１２６：回線選択領域
【図１】
2007219870.tif 000003
【図２】
2007219870.tif 000004
【図３】
2007219870.tif 000005
【図４】
2007219870.tif 000006
【図５】
2007219870.tif 000007
【図６】
2007219870.tif 000008
【図７】
2007219870.tif 000009
【図８】
2007219870.tif 000010
【図９】
2007219870.tif 000011
【図１０】
2007219870.tif 000012
【図１１】
2007219870.tif 000013
【図１２】
2007219870.tif 000014
【図１３】
2007219870.tif 000015
【図１４】
2007219870.tif 000016
【図１５】
2007219870.tif 000017
【図１６】
2007219870.tif 000018
【図１７】
2007219870.tif 000019
【図１８】
2007219870.tif 000020
【手続補正書】
【提出日】平成18年2月23日(2006.2.23)
【手続補正１】
【補正対象書類名】図面
【補正対象項目名】図２
【補正方法】変更
【補正の内容】
【図２】
2007219870.tif 000021